(57)【特許請求の範囲】
【請求項１】
移動端末により登録された、ゾーン情報、該移動端末とは異なる通知先情報、メッセージ情報を記憶するメモリと、
該移動端末の在圏するゾーンと、該メモリに記憶したゾーンとが一致することを検出する手段と、
該一致を検出した場合に、前記移動端末とは異なる通知先に対して前記メッセージ情報を送信するサービス制御部と、
を無線基地局の上位のシステムに備えたことを特徴とする移動通信システム。
【請求項２】
移動通信システムの有する無線基地局の上位のシステムに設けられるサービス提供用の装置において、
移動端末により登録された、ゾーン情報、該移動端末とは異なる通知先情報、メッセージ情報を記憶するメモリと、
該移動端末の在圏するゾーンと、該メモリに記憶したゾーンとが一致することを検出する手段と、
該一致を検出した場合に、前記移動端末とは異なる通知先に対して前記メッセージ情報を送信するサービス制御部と、
を備えたことを特徴とするサービス提供用の装置。
【請求項３】
移動通信システムの有する無線基地局の上位のシステムに接続されたサービス装置において、
移動端末により登録された、ゾーン情報、該移動端末とは異なる通知先情報、メッセージ情報を記憶するメモリと、
該移動端末の在圏するゾーンと、該メモリに記憶したゾーンとが一致することを検出するとともに、該一致を検出した場合に、前記移動端末とは異なる通知先に対して前記メッセージ情報を送信するサービス制御部と、
を備えたことを特徴とするサービス装置。
【請求項４】
移動端末からのゾーン情報、該移動端末とは異なる通知先情報、メッセージ情報を移動通信システムの有する無線基地局の上位のシステムに設けられたメモリ又は該システムと接続されたサービス装置のメモリに登録するステップと、
該移動端末の在圏するゾーンと、前記登録されたゾーンとが一致することを前記上位のシステムに設けられたサービス制御部又は前記サービス装置のサービス制御部が検出した場合に、前記移動端末とは異なる通知先に対して前記メッセージ情報を該サービス制御部が送信するステップと、
を含むことを特徴とする移動通信システムにおけるサービス方法。
【発明の詳細な説明】
【０００１】
【産業上の利用分野】
本発明は移動通信システム及び該システムにおけるサービス提供用の装置並びにサービス方法に関し、更に詳しくはセルラ方式における位置登録機能を有効利用した移動通信システム及び該システムにおけるサービス提供用の装置並びにサービス方法に関する。
【０００２】
移動通信システムの最大の利点は何処に居ても通話（通信）が行えることであるが、これを支援するものに位置登録の技術がある。移動通信システムはその利便性より今後益々の普及が見込まれているが、システムに固有の技術を活かすことで利便性が増す余地もあり、システムの一層の活用が望まれる。
【０００３】
【従来の技術】
従来の移動通信システムでは、広いエリアをゾーン分割すると共に、離れたゾーンで通話チャネルを繰り返し使用することにより、できるだけ多くの人が同時通話できるようにしている。
かかる状況のもと、今日、例えば郊外の駅では、夜遅く電車が着くと、多数の帰宅者がタクシーの列に駆け込む光景が良く見られる。一方、車の迎えを頼む者は公衆電話に列を作る。かかる場合でも、もし移動機を持っていれば列に並ばずに迎えを頼め、非常に便利である。
【０００４】
しかし、１ゾーン当たりの通話チャネルは有限である。しかも、移動機は携帯可能であるため上記のような場合には駅周辺で多数の移動機が一斉に使用されることとなり、多くの人が通話待ちになってしまう。
また、今後実用化が予定されているパーソナルハンディフォンシステム（ＰＨＳ）ではサービスエリアが駅、繁華街等の比較的狭い範囲にあり、又通話できる回線が少ない事が予想され、集中度は増すものと思われる。
【０００５】
【発明が解決しようとする課題】
従来は、上記のような場合における無線チャネルビジーを緩和できる適当な解決策が無かった。
本発明の目的は、移動端末が所望のゾーンに移動した際に、所望の通知先に所望のメッセージを能率よく通知できる移動通信システム及び該システムにおけるサービス提供用の装置並びにサービス方法を提供することにある。
【０００６】
【課題を解決するための手段】
上記の課題は例えば図１の構成により解決される。即ち、本発明（１）の移動通信システムは、移動端末により登録された、ゾーン情報、該移動端末とは異なる通知先情報、メッセージ情報を記憶するメモリと、該移動端末の在圏するゾーンと、該メモリに記憶したゾーンとが一致することを検出する手段と、該一致を検出した場合に、前記移動端末とは異なる通知先に対して前記メッセージ情報を送信するサービス制御部と、を無線基地局の上位のシステムに備えたものである。
【０００７】
【作用】
この移動通信システムではゾーン分割した各ゾーンＺ１  ，Ｚ２  の無線サービスを各基地局ＢＳ１  ，ＢＳ２  が行うと共に、異なるゾーン（例えばＺ１  →Ｚ２  ）への移行を検出した移動端末ＭＳがシステムに位置登録の要求を行う。
この場合に、メモリ３２は予め指定されたゾーン情報（例えばゾーンＺ２  ）、通知先情報（例えば電話機ＴＥＬの加入者番号）及びメッセージ情報（例えば「駅に着いた迎えに来て」の音声情報）を記憶している。そして、サービス制御部３１は、移動端末ＭＳからの位置登録要求を契機としてシステムにより付勢されると共に、位置登録要求に係るゾーン（即ち、ゾーンＺ２  ）がメモリの指定されたゾーン情報（即ち、ゾーンＺ２  ）と一致する場合は通知先情報の端末（即ち、電話機ＴＥＬ）に発呼してメッセージ情報（即ち、「駅に着いた迎えに来て」の音声情報）を通知する。
【０００８】
本発明によれば、移動端末ＭＳはシステムに対して通常の位置登録要求を行うのみであるから、無線チャネル（一般に制御チャネル）を短時間（数十ｍｓ程度）保留するに過ぎない。従って、上記の如く仮に多数の位置登録要求が駅周辺の１ゾーンに集中しても無線チャネルビジーを起こす心配は無い。一方、サービス制御部３１からは各指定通知先の端末に夫々指定のメッセージが通知される。このメッセージ通知には無線チャネルが使用されないので無線チャネルビジーを起こす心配は無い。
【０００９】
従って、本発明によれば無線チャネルビジーを起こすこと無く所定の通信先に所定のメッセージを伝達でき、一定の通信先に一定のメッセージを通知するような定型の用途（このような用途は実際に少なくない）には極めて大きな威力を発揮する。
【００１０】
好ましくは、前記送信を行った場合に、メッセージ情報を送信した旨の通知を前記移動端末に対して行う。従って、移動端末のユーザは、通知先の端末にメッセージ通知が行われたことを容易に確認できる。
また本発明（２）のサービス提供用の装置は、移動通信システムの有する無線基地局の上位のシステムに設けられるサービス提供用の装置において、移動端末により登録された、ゾーン情報、該移動端末とは異なる通知先情報、メッセージ情報を記憶するメモリと、該移動端末の在圏するゾーンと、該メモリに記憶したゾーンとが一致することを検出する手段と、該一致を検出した場合に、前記移動端末とは異なる通知先に対して前記メッセージ情報を送信するサービス制御部と、を備えたものである。
また本発明（３）のサービス装置は、移動通信システムの有する無線基地局の上位のシステムに接続されたサービス装置において、移動端末により登録された、ゾーン情報、該移動端末とは異なる通知先情報、メッセージ情報を記憶するメモリと、該移動端末の在圏するゾーンと、該メモリに記憶したゾーンとが一致することを検出するとともに、該一致を検出した場合に、前記移動端末とは異なる通知先に対して前記メッセージ情報を送信するサービス制御部と、を備えたものである。
【００１１】
また本発明（４）の移動通信システムにおけるサービス方法は  移動端末からのゾーン情報、該移動端末とは異なる通知先情報、メッセージ情報を移動通信システムの有する無線基地局の上位のシステムに設けられたメモリ又は該システムと接続されたサービス装置のメモリに登録するステップと、該移動端末の在圏するゾーンと、前記登録されたゾーンとが一致することを前記上位のシステムに設けられたサービス制御部又は前記サービス装置のサービス制御部が検出した場合に、前記移動端末とは異なる通知先に対して前記メッセージ情報を該サービス制御部が送信するステップと、を含むものである。
【００１２】
好ましくは、メッセージ情報を送信した旨の通知を前記移動端末に対して行うステップを、更に含むものである。
【００１５】
【実施例】
以下、添付図面に従って本発明による実施例を詳細に説明する。なお、全図を通して同一符号は同一又は相当部分を示すものとする。
図２は第１実施例のサービス方式の構成を示す図で、図においてＭＳは移動機、Ｚ１  〜Ｚ４  は無線サービスゾーン、ＢＳは各ゾーンの無線サービスを担当する基地局、ＭＳＣは移動体交換局、ＭＴＳは移動体中継交換局、ＨＬＲはホームメモリ局、実線は回線対応信号ルート、点線は共通線対応ルート、１００は公衆網、ＥＯは加入者交換局、１０は加入者宅、ＴＥＬは固定電話機、ＦＡＸはファクシミリ装置、ＰＣは通信アダプタを備えるパーソナルコンピュータ、ＰＢはポケットベル、ＢＳＰ  はポケットベルを収容する基地局である。
【００１６】
この第１実施例ではメモリ３２（不図示）をホームメモリ局ＨＬＲに備え、かつサービス制御部３１（不図示）の機能を移動体交換局ＭＳＣに備える。
図３は第１実施例の加入者登録情報を説明する図である。
ホームメモリ局ＨＬＲは移動機ＭＳの加入者番号ＭＳＮ（又は移動機番号ＭＳＩ）で参照するエリアに各種登録情報を記憶している。
【００１７】
「加入者認証キー」は移動機ＭＳが登録されたものであることを認証するためのキー情報を保持し、「現在位置」は移動機ＭＳの在圏位置の情報（例えば、地域識別コード、ゾーン番号又は基地局番号等）を保持する。その他、図示しないが、移動機ＭＳを管理するための通常の登録情報が記録されている。
以下はメモリ３２に該当する記憶情報である。「サービスフラグ」は本通知サービスの登録（契約）有無を示すフラグ、「暗証番号」は本サービスの加入者であることを確認するための暗証番号、「スタート／ストップ」は本サービスの開始／終了を制御するためのフラグである。
【００１８】
更に、「基地局番号」は加入者により指定された基地局番号（又は地域識別コード、ゾーン番号）、「サービスセット」は加入者によりセット指定されたサービス内容の情報を夫々記憶する。「通知先」は加入者により指定された通知先（即ち、移動機、固定電話機、ファクシミリ装置、パーソナルコンピュータ、ポケットベル等）の加入者番号及び必要なら機種情報を記憶する。「メッセージ」は加入者により指定されたメッセージを記憶する。
【００１９】
「通知先」は複数登録可能である。例えば、
「通知先（１）」＝「０３−１２３４−５６７７−１」
「通知先（２）」＝「０３−１２３４−５６７８−２」
「通知先（３）」＝「０３−１２３４−５６７９−３」
の如く登録可能である。ここで、局番（０３）、加入者番号（１２３４−５６７７〜９）に続く数字は通知先の機種（即ち、１＝ＴＥＬ、２＝ＦＡＸ、３＝ＰＣ）を夫々表している。
【００２０】
「メッセージ」も複数登録可能である。例えば、
「メッセージ（１）」＝「駅に着いた迎えに来て」
「メッセージ（２）」＝「駅に着いた買い物して帰る」
「メッセージ（３）」＝「今××駅通過、５分後に駅に迎え宜しく」
の如く登録可能である。各メッセージは音声信号又は文字コード等で入力されるが、ＴＥＬ、ＦＡＸ、ＰＣのいずれにも出力できるように必要なら音声信号、文字パターン信号、文字コード信号に変換される。
【００２１】
更に「基地局番号」及び「サービスセット」も複数登録可能である。例えば通常の路線を使用して帰宅する場合のために、
「基地局番号（１）」＝「ＢＳ２  の番号」
「サービスセット（１）」＝「通知先（１），メッセージ（１）」
の如く指定する。また他の路線を使用して帰宅する場合のために、
「基地局番号（２）」＝「ＢＳ４  の番号」
「サービスセット（２）」＝「通知先（２），メッセージ（２）」
の如く指定する。
【００２２】
図４は第１実施例のサービス情報登録処理のフローチャートである。
加入者は移動機ＭＳより特番（１ＸＹ）＋指示種別（△＝登録）をダイヤルする。交換局ＭＳＣは指示種別を分析し、登録の要求であるとホームメモリ局ＨＬＲに問い合わせを行う。ホームメモリ局ＨＬＲは加入者番号ＭＳＮより登録エリアを割り出し、「サービスフラグ」＝１か否かを調べる。「サービスフラグ」＝１の場合はサービス可の情報と共にサービス情報の登録に必要な情報（暗証番号等）を交換局ＭＳＣに返送する。また「サービスフラグ」＝０の場合はサービス不可の情報を返送する。
【００２３】
交換局ＭＳＣは、ステップＳ１において、サービス不可の場合は移動機ＭＳの呼を切断する。またサービス可の場合は更に音声ガイダンスにより暗証番号を要求する。サービス情報の登録は契約を行った加入者のみが行える。加入者は移動機ＭＳより暗証番号を入力する。交換局ＭＳＣはステップＳ２で入力の暗証番号とホームメモリ局ＨＬＲから受け取った暗証番号とを比較し、一致が得られなければ移動機ＭＳの呼を切断する。また一致が得られた場合は更に音声ガイダンスにより基地局番号を要求する。加入者は移動機ＭＳより基地局番号（例えば基地局ＢＳ２  の番号）を入力する。
【００２４】
次に交換局ＭＳＣは音声ガイダンスによりメッセージを要求し、加入者は移動機ＭＳより例えば音声により「駅に着いた迎えに来て」を入力する。交換局ＭＳＣはこれを音声ファイルに記録する。なお、交換局ＭＳＣの側に予め「メッセージ（１）」＝「駅に着いた迎えに来て」が登録されている場合は加入者はそのメッセージ番号（＝１）を入力しても良い。
【００２５】
次に交換局ＭＳＣは音声ガイダンスにより通知相手を要求し、加入者は移動機ＭＳより通知相手の加入者番号及び必要なら端末の種別番号（例えば「０３−１２３４−５６７７−１」）を入力する。
その後、加入者が継続キー（例えば＊キー）を押すと、交換局ＭＳＣは音声ガイダンスにより次の基地局番号を要求する。以下、加入者は、上記同様にして２番目の基地局番号、メッセージ、通知先の情報を入力できる。また、加入者が終了キー（例えば＃キー）を押すと、交換局ＭＳＣはホームメモリ局ＨＬＲに一連の登録情報を送信する。ホームメモリ局ＨＬＲはステップＳ３で登録情報を図３のフォーマットに整理し、メモリに記録する。一方、交換局ＭＳＣは加入者の呼を切断する。
【００２６】
なお、加入者は移動機ＭＳより特番（１ＸＹ）＋指示種別（△＝登録）をダイヤルしてサービス情報の変更を行うことも可能である。この場合に、上記手続中の変更を要しない部分は音声ガイダンスの受信後に不変更キー（例えば＊キー）を押す。この場合は交換局ＭＳＣはその部分の書換えを行わない。そして、変更を要する部分だけ新たな登録情報を入力すれば良い。或いは、特番（１ＸＹ）＋指示種別（△＝変更）＋変更箇所をダイヤルして、所望の箇所のみを変更するように構成しても良い。
【００２７】
また、以上の登録処理は移動機ＭＳ以外の電話機ＴＥＬやパーソナルコンピュータＰＣから行っても良い。但し、この場合の交換局ＥＯは特番発呼を解析すると共に、移動機ＭＳの加入者番号を要求し、その呼を交換局ＭＳＣに接続する。その後、図４の処理が行われる。
以下、第１実施例の一応用例を具体的に説明する。
例えば加入者が帰宅時に降車する駅が含まれるゾーンＺ２  の基地局ＢＳ２  の番号を基地局番号（１）に登録する。また通知先（１）を加入者の自宅１０にある例えば電話機ＴＥＬとする。そして、メッセージ（１）は「駅に着いた迎えに来て」とする。
【００２８】
図５は第１実施例の位置登録処理のフローチャートである。
帰宅途中の加入者が乗っている電車がゾーンＺ１  に進入すると、携帯する移動機ＭＳはステップＳ１１でゾーン変更を検出する。即ち、移動機ＭＳでは基地局ＢＳ１  の制御チャネルの受信電界強度ＲＳＳＩが最大となると共に、基地局ＢＳ１  の発生している地域識別コード（基地局番号）が自己の保持している地域識別コードと異なることによりゾーン変更を検出する。移動機ＭＳはゾーン変更を検出すると基地局ＢＳ１  の制御チャネルをつかんで交換局ＭＳＣ１  に位置登録要求を行う。
【００２９】
これを受けた交換局ＭＳＣ１  は通常に従いホームメモリ局ＨＬＲに位置登録要求の旨を通知し、これを受けたホームメモリ局ＨＬＲはステップＳ１２で移動機ＭＳの位置登録を行う。更にステップＳ１３では移動機ＭＳについてサービス中（即ち、サービスフラグ＝１、かつスタート／ストップ＝スタート）か否かを判別し、サービス中でなければ位置登録完了の旨を交換局ＭＳＣ１  に返送する。
【００３０】
この例ではサービス中であるので、更にステップＳ１４で位置登録した基地局ＢＳ１  の番号と予め指定されている基地局ＢＳ２  の番号とを比較する。この場合は一致が得られないので、ホームメモリ局ＨＬＲは位置登録完了の旨を交換局ＭＳＣ１  に返送する。位置登録完了の旨の通知を受けた交換局ＭＳＣ１  は保留中の制御チャネルを介して移動機ＭＳに登録完了の旨を通知し、位置登録処理を終了する。
【００３１】
次に移動機ＭＳがゾーンＺ２  に移行すると、ステップＳ１１で上記同様にしてゾーン変更を検出する。この場合のホームメモリ局ＨＬＲではステップＳ１３でサービス中、かつステップＳ１４ではゾーン一致が得られる。ホームメモリ局ＨＬＲはゾーン一致の場合は、位置登録完了の旨の通知と共に、所定のサービス情報（通知先、メッセージ等）を交換局ＭＳＣ１  に返送する。
【００３２】
これを受けた交換局ＭＳＣ１  は必要なら（例えばホームメモリに不図示のサービスオプションが設定されていたなら）保留中の制御チャネルを介して移動機ＭＳにサービス開始の旨の通知を送信する。これにより移動機ＭＳはサービス開始の旨の信号音を発生する。加入者はサービス開始の旨の信号音を聞けば、指定通りサービスが開始されたことを知ることができ、便利である。また制御チャネルを使用すれば、通話チャネルを占有することなく、サービス開始の旨の通知を短時間で効率良く行える。
【００３３】
交換局ＭＳＣ１  は引き続き通知先の端末ＴＥ（この例では電話機ＴＥＬ）に対してダイヤル発呼を行う。ステップＳ１５では端末ＴＥからの応答を待つ。所定時間を経過しても応答が無い場合は、端末ＴＥに対する呼を切断すると共に、必要なら制御チャネルを介して移動機ＭＳに対し登録完了と共にサービス不可の旨の通知を送信する。これにより移動機ＭＳはサービス不可の旨の信号音を発生し、位置登録を終了する。加入者はサービス不可の旨の信号音を聞けば、通知先にメッセージが届いていないことを知ることができ、後に降車駅からダイヤル発呼することも可能である。従って、本通知サービスの信頼性が向上する。
【００３４】
また所定時間以内に応答があった場合（この例では電話機ＴＥＬがオフフックされた場合）は交換局ＭＳＣ１  は端末ＴＥに対して音声によるメッセージ「駅に着いた迎えに来て」を送信する。因みに、指定端末ＴＥがファクシミリ装置ＦＡＸの場合はファクシミリ情報（即ち、文字パターン）による「駅に着いた迎えに来て」を送信する。また、指定端末ＴＥがパーソナルコンピュータＰＣの場合は文字コードによる「駅に着いた迎えに来て」を送信する。
【００３５】
しかる後、交換局ＭＳＣ１  は必要なら制御チャネルを介して移動機ＭＳにサービス完了の旨の通知を送信する。これにより移動機ＭＳはサービス完了の旨の信号音を発生する。加入者はサービス完了の旨の信号音を聞けば、指定通りサービスが行われたことを知ることができ、便利である。しかる後、交換局ＭＳＣ１  は移動機ＭＳに登録完了の旨を通知し、これにより位置登録処理を終了する。
【００３６】
なお、上記ステップＳ１２で位置登録をしたら、交換局ＭＳＣ１  より移動機ＭＳに対して無条件で位置登録完了の通知をするように構成しても良い。こうすれば移動機ＭＳが制御チャネルを保留している時間が短くなる。しかる後、サービス開始通知、サービス不可通知、サービス完了通知等を行う必要がある場合には、交換局ＭＳＣ１  は移動機ＭＳがゾーンＺ２  に居ることを知っているので、その旨をゾーンＺ２  の制御チャネルを介して別途に通知する。
【００３７】
また、上記実施例では所定時間以内に端末ＴＥからの応答が無いとサービス不可の旨の通知を送信したが、これに限らない。例えば、いきなりサービス不可の旨の通知を送信する代わりにリダイヤルする旨の通知を送信しても良い。加入者はリダイヤル通知の旨の信号音を聞けば、メッセージ通知サービスの進行状況を把握でき、便利である。そして、例えば２回リダイヤル発呼しても端末ＴＥの応答が無い場合は交換局ＭＳＣ１  はサービス不可の旨の通知を行う。
【００３８】
また、上記一応用例を具体的に説明したが、本実施例はパーソナルハンディフォンシステム等に適用しても威力を発揮する。
或いは、例えば繁華街や博覧会会場に家族で出掛けた場合は、繁華街や会場の随所の基地局番号を設定する。併せて各基地局番号に対応する地域名をメッセージに登録する。通知先の端末は例えばポケットベルである。移動機ＭＳを子供や老人に持たせ、親はポケットベルを携帯する。こうすれば家族が別行動をとっていても親は子供や老人の居る地域を容易に把握できる。
【００３９】
図６は第２実施例のサービス方式の構成を示す図で、図においてＭＳは移動機、Ｚ１Ａ〜Ｚ１３Ａ  ，Ｚ１Ｂ〜Ｚ２Ｂは夫々事業者Ａ，Ｂの無線サービスゾーン、ＢＳは基地局、ＭＳＣＡ  ，ＭＳＣＢ  は移動体交換局、ＭＴＳＡ  ，ＭＴＳＢ  は移動体中継交換局、ＳＴＰＡ  ，ＳＴＰＢ  は共通線信号中継局、ＨＬＲＡ  ，ＨＬＲＢ  はホームメモリ局、ＶＬＲＡ  ，ＶＬＲＢ  はローマ用メモリ局、実線は回線対応信号ルート、点線は共通線対応ルート、１００は公衆網、ＥＯは加入者交換局、２０は事務局、２１はパーソナルコンピュータ（ＰＣ）、２２は移動機用無線装置（Ｍ）、２３は加入者線用通信アダプタ（Ａ）、ＴＥＬは固定電話機、３０はサービスセンタ（ＳＣ）、３１はサービス制御部、３２はメモリ、２００は道路、ＣＰ１  〜ＣＰ３  はチェックポイントである。
【００４０】
この第２実施例はメモリ３２とサービス制御部３１とをサービスセンタ３０にまとめ、サービスセンタ３０を専用線１００１  又は加入者線１００２  を介して移動通信システムに接続している。
図３において、この場合のホームメモリ局ＨＬＲＡ  は移動機ＭＳの加入者番号ＭＳＮ（又は移動機番号ＭＳＩ）で参照するエリアに「加入者認証キー」，「現在位置」の他、「ローミング状態」，「ローミング先網」等の通常の登録情報を記録している。
【００４１】
事業者Ａに加入の移動機ＭＳが事業者ＡのゾーンＺ１Ａ〜Ｚ１３Ａ  に居る間は「ローミング状態」＝０である。しかし、移動機ＭＳが事業者ＢのゾーンＺ１Ｂ又はＺ２Ｂに移行すると、交換局ＭＳＣＢ  に対して位置登録要求を行う。
これを受けた交換局ＭＳＣＢ  は移動機ＭＳの加入者番号ＭＳＮが他の事業者のものであることによりローマ用メモリ局ＶＬＲＢ  に問い合わせを行い、これを受けたローマ用メモリ局ＶＬＲＢ  は加入者番号ＭＳＮに基づきホームメモリ局ＨＬＲＡ  に問い合わせを行う。移動機ＭＳに関する所定の認証処理が可であると、ローマ用メモリ局ＶＬＲＢ  は移動機ＭＳに関する必要な情報（加入者番号ＭＳＮ，加入者認証キー，位置情報等）を記録する。更にローマ用メモリ局ＶＬＲＢ  はホームメモリ局ＨＬＲＡ  に対して網間位置登録を要求し、これによりホームメモリ局ＨＬＲＡ  は「ローミング状態」＝１、「ローミング先網」＝Ｂ、等を記憶する。従って、移動機ＭＳはどのゾーンに居ても、発／着呼、位置登録等の基本的サービスを受けられる。
【００４２】
更に上記に加え、この場合のホームメモリ局ＨＬＲＡ  及びローマ用メモリ局ＶＬＲＢ  は「サービスフラグ」とサービスセンタ３０の「加入者番号／局番号」とを記憶するものとする。そして、「暗証番号」以降の各情報はサービスセンタ３０のメモリ３２に記憶される。
この第２実施例によればホームメモリ局ＨＬＲの記憶負担が第１実施例に比べて大幅に減少する。一方、サービスセンタ３０のメモリ３２の記憶容量に制限はないので、多数の加入者の多数のサービス情報を一括収容できる。
【００４３】
図７は第２実施例のサービス情報登録処理のフローチャートである。
例えばゾーンＺ１２Ａ  に居る加入者は移動機ＭＳより特番（１ＸＹ）＋指示種別（△＝登録）をダイヤルする。交換局ＭＳＣＡ２は指示種別を分析し、登録要求であるとホームメモリ局ＨＬＲＡ  に問い合わせを行う。ホームメモリ局ＨＬＲＡ  は加入者番号ＭＳＮより登録エリアを割り出し、特番ＸＹに対応する「サービスフラグ」＝１か否かを調べる。「サービスフラグ」＝１の場合はサービス可の情報と共にサービスセンタ３０の加入者番号を交換局ＭＳＣＡ２に返送する。また「サービスフラグ」＝０の場合はサービス不可の情報を返送する。
【００４４】
交換局ＭＳＣＡ２は、ステップＳ２１において、サービス不可の場合は移動機ＭＳの呼を切断する。またサービス可の場合はサービスセンタ３０に呼を接続する。これを受けたサービスセンタ３０のサービス制御部３１は移動機ＭＳの加入者番号ＭＳＮからメモリ３２の登録エリアを割り出し、音声ガイダンスにより暗証番号を要求する。音声ガイダンスは交換局ＭＳＣＡ２を介して移動機ＭＳに送信される。加入者は移動機ＭＳより暗証番号を入力する。以下、図４の場合と同様にして通知先の情報までが入力される。
【００４５】
上記の如くして加入者が必要な情報を登録し、しかる後終了キー（例えば＃キー）を押すと、サービス制御部３１はメモリ３２に一連の指定情報を登録する。しかる後、移動機ＭＳ又はサービス制御部３１が呼を切断する。その他、サービスセンタ３０に対して登録情報の変更、及びサービスのスタート／ストップ等が行えることは言うまでも無い。
【００４６】
第２実施例の１の応用例は広汎な領域にわたる自動車ラリー競技である。ラリーコース２００の随所にチェックポイントＣＰ１  〜ＣＰ３  を設け、事務局２０への通過通知をサービスセンタ３０が自動的に行う。
移動機ＭＳに関する登録情報は、
「基地局番号（１）」＝ＢＳ１Ａ
「サービスセット（１）」＝「通知先（１），メッセージ（１）」
「基地局番号（２）」＝ＢＳ１１Ａ  
「サービスセット（２）」＝「通知先（１），メッセージ（２）」
「基地局番号（３）」＝ＢＳ２Ｂ
「サービスセット（３）」＝「通知先（１），メッセージ（３）」
「通知先（１）」＝「０４４−１２３４−５６７９−３」（即ち、事務局２０のパーソナルコンピュータ２１の加入者番号）
「メッセージ（１）」＝「ＣＰ１  通過」
「メッセージ（２）」＝「ＣＰ２  通過」
「メッセージ（３）」＝「ＣＰ２  通過」
である。
【００４７】
ラリーの各参加者は自己の移動機に関する上記同様の登録を夫々ラリー開始前に行う。事務局２０は予めサービスセンタ３０に問い合わせをしてラリー参加者の登録情報を確認できる。事務局２０のパーソナルコンピュータ２１は移動機用無線装置２２を備えるので、ラリーの開始、途中又は終了の各任意の地点に位置できる。
【００４８】
図８は第２実施例の位置登録処理のフローチャートである。
移動機ＭＳはゾーンＺ３ＡからＺ１Ａに移行すると、ステップＳ１１でゾーン変更を検出し、基地局ＢＳ１Ａの制御チャネルをつかんで交換局ＭＳＣＡ１に位置登録要求を行う。これを受けた交換局ＭＳＣＡ１は通常に従いホームメモリ局ＨＬＲＡ  に位置登録要求の旨を通知し、これを受けたホームメモリ局ＨＬＲＡ  はステップＳ３２で移動機ＭＳの位置登録を行う。ステップＳ３３では移動機ＭＳについて「サービスフラグ」＝１か否かを判別する。「サービスフラグ」＝１でなければ位置登録完了の旨を交換局ＭＳＣＡ１に返送するが、この場合は「サービスフラグ」＝１なので、位置登録完了の旨と共に所定の情報（サービスセンタ３０の「加入者番号／局番号」）を交換局ＭＳＣＡ１に通知する。
【００４９】
これを受けた交換局ＭＳＣＡ１は専用線１００１  を介してサービスセンタ３０に移動機ＭＳに関するサービス要求を行う。又は加入者線１００２  を介してサービスセンタ３０に発呼し、サービス要求を行う。
サービスセンタ３０ではサービス制御部３１が移動機ＭＳの加入者番号ＭＳＮから登録エリアを割り出し、ステップＳ３４でサービス中（即ち、「スタート／ストップ」＝スタート）か否かを調べる。この例ではサービス中であるので、更にステップＳ３５でゾーン一致か否かを調べる。この例では一致が得られたので、サービス制御部３１は必要なら交換局ＭＳＣＡ１にサービス開始の旨の通知を送信する。交換局ＭＳＣＡ１は保留中の制御チャネルを介して移動機ＭＳにサービス開始の旨の通知を送信する。これにより移動機ＭＳはサービス開始の旨の信号音を発生する。これによりナビゲータはＣＰ１  通過と推測でき、便利である。
【００５０】
サービス制御部３１は引き続き通知先の端末ＴＥ（パーソナルコンピュータ２１）に対してダイヤル発呼を行う。ステップＳ３６では端末ＴＥからの応答を待つ。所定時間以内に応答があると、サービス制御部３１は文字コードによる「ＣＰ１  通過」を送信する。
しかる後、サービス制御部３１は必要なら交換局ＭＳＣＡ１にサービス完了の旨の通知を送信する。交換局ＭＳＣＡ１は制御チャネルを介して移動機ＭＳにサービス完了の旨の通知を送信する。これによりナビゲータはＣＰ１  通過の記録を確信でき、便利である。しかる後、サービス制御部３１は交換局ＭＳＣＡ１に登録完了の旨を通知し、交換局ＭＳＣＡ１は移動機ＭＳに登録完了の旨を通知する。これにより位置登録処理を終了する。
【００５１】
一方、事務局２０のパーソナルコンピュータ２１は移動機ＭＳに関する「ＣＰ１  通過」のメッセージ受信に同期して自己が有する時刻情報をハントし、成績表に記録する。
同様にして、移動機ＭＳがゾーンＺ１ＢからＺ２Ｂに移行すると、ステップＳ１１でゾーン変更を検出し、基地局ＢＳ２Ｂの制御チャネルをつかんで交換局ＭＳＣＢ  に位置登録要求を行う。交換局ＭＳＣＢ  は通常に従いローマ用メモリ局ＨＬＲＢ  に位置登録要求の旨を通知し、ローマ用メモリ局ＨＬＲＢ  はステップＳ３２で移動機ＭＳの位置登録を行う。ステップＳ３３では移動機ＭＳについて「サービスフラグ」＝１か否かを判別する。「サービスフラグ」＝１でなければ位置登録完了の旨を交換局ＭＳＣＢ  に返送するが、この場合は「サービスフラグ」＝１なので、位置登録完了の旨及び所定の情報（サービスセンタ３０の「加入者番号／局番号」）を交換局ＭＳＣＢ  に通知する。以下、上記と同様である。
【００５２】
第２実施例によれば、専用のサービスセンタ３０を備えるので、移動機の位置登録を契機とする様々な態様のサービスを容易に企画、登録し、実行できる。例えば都市や郊外の特定のチェックポイントを順番に通過するようなオリエンテーリングも容易に実現できる。しかも、多数のチェックポイントを机上で設定できる上、チェックポイントの通過及びこれに伴うメッセージ情報は所定の端末２１に集中するので、チェックポイント通過有無の検査及び集計等に人手を要さず、様々なゲーム等を効率的に企画、運用できる。
【００５３】
なお、第２実施例においてもステップＳ３２で位置登録したら、無条件で位置登録完了の旨を移動機ＭＳに返送するように構成しても良い。その後の移動機ＭＳへの必要な通知は交換局ＭＳＣから制御チャネルを介して別途におこなえば良い。
また、上記第１実施例で述べた応用例を第２実施例の構成で行い、又は第２実施例で述べた応用例を第１実施例の構成で行えることは言うまでも無い。
【００５４】
また、上記本発明に好適なる複数の実施例を述べたが、本発明思想を逸脱しない範囲内で、システム構成、メモリの記憶方法、及び通信制御手順等の様々な変更が行えることは言うまでも無い。
【００５５】
【発明の効果】
以上述べた如く本発明によれば、移動端末が所望のゾーンに移動した際に、所望の通知先に所望のメッセージを自動的に能率よく通知できるため、通信が混雑するようなエリアでも、無線チャネルビジーを起こすこと無く、所望の通知先に所望のメッセージを能率よく伝達できる。
【図面の簡単な説明】
【図１】図１は本発明の原理を説明する図である。
【図２】図２は第１実施例のサービス方式の構成を示す図である。
【図３】図３は第１実施例の加入者登録情報を説明する図である。
【図４】図４は第１実施例のサービス情報登録処理のフローチャートである。
【図５】図５は第１実施例の位置登録処理のフローチャートである。
【図６】図６は第２実施例のサービス方式の構成を示す図である。
【図７】図７は第２実施例のサービス情報登録処理のフローチャートである。
【図８】図８は第２実施例の位置登録処理のフローチャートである。
【符号の説明】
Ｚ  無線サービスゾーン
ＢＳ  基地局
ＭＳ  移動機
３１  サービス制御部
３２  メモリ
１００  公衆網
ＥＯ  加入者交換局
ＴＥＬ  電話機
【図１】
0003614187.tif 000002
【図２】
0003614187.tif 000003
【図３】
0003614187.tif 000004
【図４】
0003614187.tif 000005
【図５】
0003614187.tif 000006
【図６】
0003614187.tif 000007
【図７】
0003614187.tif 000008
【図８】
0003614187.tif 000009